(57)【特許請求の範囲】
【請求項１】
被写体像を光電変換して電子的な画像データを生成する撮像手段と、
用紙の画像形成領域よりも広い範囲を露光領域として上記撮像手段で生成された画像データに基づく露光を行い、撮影した画像の範囲よりも狭い範囲の画像を用紙に形成する画像形成手段と、
上記画像形成手段によって用紙に形成される画像の範囲よりもさらに狭い範囲にトリミングしたトリミング画像を表示する画像表示手段と
を備えたことを特徴とする電子カメラ。
【請求項２】
上記画像表示手段は、上記トリミング画像又は撮影した画像を選択的に表示可能である
ことを特徴とする請求項１に記載の電子カメラ。
【請求項３】
被写体像を光電変換して電子的な画像データを生成する撮像手段と、
用紙の画像形成領域よりも広い範囲を露光領域として上記撮像手段で生成された画像データに基づく露光を行い、撮影した画像の範囲よりも狭い範囲の画像を用紙に形成する画像形成手段と、
撮影した画像を表示する際に、上記画像形成手段によって用紙に形成される画像の範囲よりもさらに狭い範囲にトリミングしたトリミング画像を識別可能にして表示する画像表示手段と
を備えたことを特徴とする電子カメラ。
【発明の詳細な説明】
【０００１】
【発明の属する技術分野】
本発明は、電子カメラ、特にプリント機構を備えた電子カメラに関する。
【０００２】
【従来の技術】
近年、電子カメラで撮影した画像をその場で見られるようにするため、プリント機構を内蔵した電子カメラ、すなわちプリンタ付き電子カメラの開発が要望されている。
【０００３】
現在、電子カメラに内蔵するプリント機構として、インスタントフィルム等の感光フィルム（感光紙）上に画像を形成する感光式のものが提案されている。これは、ＣＣＤ等によって得られた画像データに基づいてプリント用データを作成し、このプリント用データを用いて感光紙を露光し、画像を形成するものである。
【０００４】
通常プリントを行う際には、画像表示ＬＣＤに表示される画像の画像データを用いるが、感光紙自体や感光紙の載置位置にばらつきがあるため、感光紙の画像形成領域（プリント領域）よりも広い範囲を露光領域として露光を行うことにより、感光紙の画像形成領域全体に画像が形成されるようにしている。
【０００５】
しかしながら、画像表示ＬＣＤに表示される画像の画像データを用いて、感光紙の画像形成領域よりも広い範囲を露光することにより、感光紙にプリントされる画像の範囲は、画像表示ＬＣＤに表示される画像の範囲よりも狭くなってしまう。すなわち、画像表示ＬＣＤに表示される画像の周辺部が欠落した画像が感光紙にプリントされることになり、意図した画像がプリントされないことが生じ得る。
【０００６】
【発明が解決しようとする課題】
このように、従来は、画像表示手段によって把握される画像の範囲が確実に感光紙にプリントされないという問題があった。
【０００７】
本発明は上記従来の課題に対してなされたものであり、プリント機構を内蔵した電子カメラにおいて、画像表示手段によって把握される画像の範囲を確実にプリントできるようにすることを目的としている。
【０００８】
【課題を解決するための手段】
本発明に係る電子カメラは、被写体像を光電変換して電子的な画像データを生成する撮像手段と、用紙の画像形成領域よりも広い範囲を露光領域として上記撮像手段で生成された画像データに基づく露光を行い、撮影した画像の範囲よりも狭い範囲の画像を用紙に形成する画像形成手段と、上記画像形成手段によって用紙に形成される画像の範囲よりもさらに狭い範囲にトリミングしたトリミング画像を表示する画像表示手段とを備えたことを特徴とする。
【０００９】
上記画像表示手段は、上記トリミング画像又は撮影した画像を選択的に表示可能であることが好ましい。
【００１０】
本発明によれば、撮影した画像の範囲よりも狭い範囲の画像を用紙上に画像形成し、さらにそれよりも狭い範囲のトリミング画像を画像表示手段に表示するようにしている。したがって、画像表示手段に表示されたトリミング画像の範囲を確実に用紙上に画像形成することができる。
【００１１】
また、本発明に係る電子カメラは、被写体像を光電変換して電子的な画像データを生成する撮像手段と、用紙の画像形成領域よりも広い範囲を露光領域として上記撮像手段で生成された画像データに基づく露光を行い、撮影した画像の範囲よりも狭い範囲の画像を用紙に形成する画像形成手段と、撮影した画像を表示する際に、上記画像形成手段によって用紙に形成される画像の範囲よりもさらに狭い範囲にトリミングしたトリミング画像を識別可能にして表示する画像表示手段とを備えたことを特徴とする。
【００１２】
本発明によれば、撮影した画像を画像表示手段によって把握できるとともに、トリミング画像の範囲を識別することができるので、用紙に確実にプリントされる画像の範囲も同時に把握することができる。
【００１３】
【発明の実施の形態】
以下、本発明の実施形態を図面を参照して説明する。
【００１４】
図１は、本実施形態に係るプリント機構を内蔵した電子カメラの構成例を示したブロック図である。
【００１５】
撮像部の基本的な構成は、通常の電子カメラと同様であり、撮影レンズ系１１、ＣＣＤ等の光電変換素子からなる撮像素子１２、撮像回路１３及びＡ／Ｄ変換回路１４から構成されている。すなわち、撮影レンズ系１１によって結像された被写体像を撮像素子１２によって光電変換し、光電変換された画像信号を撮像回路１３を介してＡ／Ｄ変換回路１４に入力することにより、デジタル変換された画像信号が得られるように構成されている。
【００１６】
操作部１５は、電子カメラに各種の指示を与えるものであり、レリーズスイッチの他、プリント開始を指示するプリント開始スイッチ、後述する各種モードを選択するモード選択スイッチ等から構成される。モード表示ＬＣＤ１６は、後述する各種モードの表示を行うものである。ストロボ発光部１７は、ストロボ撮影を行う際にストロボを発光させるものである。
【００１７】
電源部１８は、電子カメラの各部へ電力を供給するものであり、この電源部１８には、カメラ電池１９及び後述するフィルム電池３３が接続されるようになっている。カメラ電池１９は主として電子カメラのカメラ部に電力を供給するものであり、フィルム電池３３は主として電子カメラのプリンタ部へ電力を供給するものである。また、電源部１８には外部電源入力端子２０を介して外部電源を接続できるようになっている。
【００１８】
システムコントローラ（シスコン）２１は、電子カメラの各部を制御するものであり、ホワイトバランス処理やマトリックス演算等を行う画像処理機能や、画像データの圧縮や伸長を行う圧縮伸長機能を有している。また、撮像された画像の画素数を所定の画素数に変換する画素数変換処理（リサイズ処理）機能や、プリント用の画像を生成するプリント画像生成機能を有している。
【００１９】
メモリインターフェース２２は、カードスロット２３に挿入された着脱メモリ（メモリカード）２４との間で情報の送受を行うためのインターフェースであり、このメモリインターフェース２２を介して、着脱メモリ２４への画像情報の書き込みや、着脱メモリ２４からの画像情報の読み込みが行われる。
【００２０】
バッファメモリ２５は、撮像部によって得られた画像データ等を一時的に記憶するものである。また、このバッファメモリ２５は、ホワイトバランス処理等の画像処理の作業領域としても用いられる。
【００２１】
外部インターフェース２６は、外部入出力端子２７を介して外部機器との間で通信を行うためのインターフェースであり、この外部インターフェース２６により、パーソナルコンピュータ等の外部機器との間で画像情報等の各種情報の送受を行うことができる。
【００２２】
ビデオメモリ２８は、システムコントローラ２１の画素数変換処理機能によって所定の画素数に変換された表示用データを保持するものである。ビデオメモリ２８に保持された表示用データはビデオ出力回路２９に送られ、このビデオ出力回路２９により画像表示ＬＣＤ３０に画像表示を行うための所定の処理が施されるようになっている。また、ビデオ出力回路２９からの出力信号は、ビデオアウト端子３１を介して外部機器に送出できるようになっている。
【００２３】
以上の説明は電子カメラの主としてカメラ機構（カメラ部）に関するものであったが、次に電子カメラに内蔵されたプリント機構（プリンタ部）について説明する。
【００２４】
プリント機構には、インスタントフィルム等の感光フィルム（感光紙）上に画像を形成する感光式のものを用いている。感光紙は、着脱可能なカートリッジ３２に複数枚収納されており、このカートリッジ３２にはフィルム電池（Ｆ電池）３３が備えられている。プリントに際しては、駆動制御回路３４及び駆動部３５（モータや伝達系からなる）によって感光紙を移動させ、これにより１ライン単位で感光紙上に画像が形成される。
【００２５】
１ライン分のプリント用データは、ビデオメモリ２８から読み出したデータをシステムコントローラ２１のプリント画像生成機能を用いて処理することによって得られ、ラインメモリ３６に保持されるようになっている。ラインメモリ３６に保持された１ライン分のプリント用データは、ＬＣＤ制御回路３７を介してＬＣＤシャッター３８に送られる。
【００２６】
ＬＣＤシャッター３８には、１ライン分の複数のシャッター部が形成されている。また、各シャッター部に対応して複数のＬＥＤ（Ｒ、Ｇ、Ｂ）がアレイ状に設けられ、このＬＥＤアレイによって光源３９が構成されている。ＬＣＤ制御回路３７から送られてくる画像情報に基づき、ＬＣＤシャッター３８の各シャッター部の開時間を制御することで、光源３９からの光による露光量を変化させ、感光紙上に１ラインずつ画像が形成される。
【００２７】
次に、本実施形態の基本的な概念について、図２を参照して説明する。
【００２８】
全表示画像領域は、撮像部で得られた画像領域に対応する画像領域（例えば、６４０×４８０画素の画像領域）、言い換えると画像データに基づいて露光を行う領域であり、後述する通常撮影モード及び通常再生モードにおいて画像表示ＬＣＤに表示される画像領域に対応している。トリミング画像領域は、全表示画像領域の画像をトリミング処理することによって得られる画像領域（例えば、５７６×４３２画素の画像領域）であり、後述する撮影プリントモード及び再生プリントモードにおいて画像表示ＬＣＤに表示される画像領域に対応している。プリント領域（画像形成領域）は、感光紙上にプリントされた画像が表示される領域、すなわち露光によって感光紙が感光される領域である。
【００２９】
すでに説明したように、通常、プリントを行う際には、全表示画像領域に対応する画像データを用いて、感光紙のプリント領域よりも広い範囲を露光することにより、感光紙のプリント領域全体に画像が形成されるようにしている。この点については、本実施形態も従来技術も同様である。
【００３０】
従来は、全表示画像領域が画像表示ＬＣＤに表示される画像領域に対応しているため、感光紙に実際にプリントされる画像の範囲（プリント領域の範囲に対応）は、画像表示ＬＣＤに表示される画像の範囲よりも狭くなり、その結果、画像表示ＬＣＤに表示される画像の周辺部が欠落した画像が感光紙にプリントされることになる。
【００３１】
これに対して、本実施形態では、トリミング画像領域が画像表示ＬＣＤに表示される画像領域に対応しており、このトリミング画像領域はプリント領域よりも狭くなるように設定されている。すなわち、図２（ａ）、（ｂ）及び（ｃ）に示すように、プリント領域がばらついても、トリミング画像領域がプリント領域内に確実に入るように、トリミング画像領域が設定されている。したがって、従来のように画像表示ＬＣＤに表示される画像の周辺部が欠落して感光紙にプリントされる、といった問題を防止することができる。
【００３２】
次に、本実施形態の動作について説明する。
【００３３】
本実施形態に係る電子カメラは、図１に示した操作部１５のモード選択スイッチによって、撮影プリントモード、通常撮影モード、再生プリントモード及び通常再生モードの中から、いずれかのモードを選択できるようになっている。
【００３４】
以下、これらの各モードが選択されたときの動作について、各フローチャートを参照して説明する。
【００３５】
まず、モード選択スイッチによって撮影プリントモードが選択された場合の動作について、図３に示したフローチャートを参照して説明する。この撮影プリントモードは、撮影した画像に対応する画像データをメモリカードに記録する前にプリント処理を行うものである。
【００３６】
図３に示したフローチャートでは、初期状態として、すでに撮影プリントモードが選択されているものとする。図１に示した操作部１５のレリーズスイッチが押されると、所定の撮像処理が行われる。すなわち、撮像素子１２によって光電変換された画像信号が撮像回路１３を介してＡ／Ｄ変換回路１４に入力され、Ａ／Ｄ変換回路１４から画像データが出力される（Ｓ１０１）。この画像データ（ここでは、１２８０×９６０画素のデータとする）はバッファメモリ２５に格納され（Ｓ１０２）、さらにホワイトバランス処理やマトリックス演算等の画像処理がなされる（Ｓ１０３）。
【００３７】
続いて、画像処理された画像データに対して画素数変換処理がなされ、（１２８０×９６０）画素の画像データが（６４０×４８０）画素の画像データへと変換される。この画素数（６４０×４８０）は、図２で説明した全表示画像領域の画素数に対応している。以下、この画素数変換処理がなされた（６４０×４８０）画素のデータを、便宜上、全表示画像データと呼ぶ（Ｓ１０４）。画素数変換処理がなされた全表示画像データは、ビデオメモリ２８に格納される（Ｓ１０５）。
【００３８】
ビデオメモリ２８に格納された全表示画像データは、ビデオ出力回路２９により、（５７６×４３２）画素のデータへと変換される。この画素数（５７６×４３２）は、図２で説明したトリミング画像領域の画素数に対応している。以下、この（５７６×４３２）画素のデータを、便宜上、トリミング画像データと呼ぶ（Ｓ１０６）。このトリミング画像データに基づいて、画像表示ＬＣＤ３０にトリミング画像が表示される（Ｓ１０７）。
【００３９】
画像表示ＬＣＤ３０に表示されたトリミング画像を見て、ユーザーはプリントを行うか否かを判断し、プリントを行う場合には操作部１５のプリント開始スイッチを押してプリント指示を行う。プリント指示がなされた場合には、以下の動作が行われる（Ｓ１０８）。
【００４０】
まず、ビデオメモリ２８に記憶されている（６４０×４８０）画素分の全表示画像データのなかから１ライン分（１×４８０）のデータを読み出し（Ｓ１０９）、プリント用画像処理（ルックアップテーブル（ＬＵＴ）を用いてプリント用のＲＧＢデータに変換する処理）を施した後（Ｓ１１０）、ラインメモリ３６に１ライン分（１×４８０）のプリント用データを格納する（Ｓ１１１）。ラインメモリ３６に格納された１ライン分のプリント用データはＬＣＤ制御回路３７に入力され、ＬＣＤ制御回路３７からの出力によってＬＣＤシャッター３８の開時間を制御することにより、感光紙上に１ライン分のプリント（光源３９による露光）が行われる（Ｓ１１２）。
【００４１】
１ライン分のプリントが終了した後、感光紙の位置を１ライン分ずらし、全ライン分のプリントの終了判断がなされるまで（Ｓ１１３）、上述したＳ１０９〜Ｓ１１２のステップを繰り返す。これにより、ビデオメモリ２８に記憶されている全表示画像データを用いて、感光紙のプリント領域に１画面分のプリントが行われることになる。すでに説明したように、プリント領域の範囲は、トリミング画像領域の範囲よりも広いため（図２参照）、感光紙上には画像表示ＬＣＤ３０に表示されたトリミング画像の範囲よりも広い範囲の画像がプリントされることになる。
【００４２】
全ライン分のプリントが終了すると（Ｓ１１３）、バッファメモリ２５に記憶されている（１２８０×９６０）画素分の画像データに対してＪＰＥＧ方式の圧縮処理が施され（Ｓ１１４）、圧縮された画像データがメモリインターフェース２２を介してメモリカード（着脱メモリ２４）に記録される（Ｓ１１５）。Ｓ１０８のステップでプリント指示がされない場合にも、同様にＳ１１４及びＳ１１５の処理が行われる。
【００４３】
このように、撮影プリントモードが選択された場合には、トリミング画像領域の画像が画像表示ＬＣＤに表示される。また、このトリミング画像領域はプリント領域よりも狭くなるように設定されている。したがって、画像表示ＬＣＤに表示された画像全体を確実にプリントすることができる。
【００４４】
次に、図１に示した操作部１５のモード選択スイッチによって通常撮影モードが選択された場合の動作について、図４に示したフローチャートを参照して説明する。この通常撮影モードでは、撮影した画像に対応する画像データを単にメモリカードに記録するだけであり、プリント処理は行われない。
【００４５】
この通常撮影モードの基本的な動作は、プリント処理を行わないという点を除いて、図３に示した撮影プリントモードの動作とほぼ同様であり、図３に示したステップと対応するステップについては同一のステップ番号を付し、ここでは詳細な説明は省略する。
【００４６】
ただし、この通常撮影モードでは、撮影プリントモードとは異なり、トリミング画像データではなく、全表示画像データを用いて画像表示ＬＣＤ３０に画像が表示される。したがって、図３のＳ１０６の処理（トリミング画像データを生成する処理）は行われず、Ｓ１０７のステップでは画素数（６４０×４８０）の全表示画像データを用いて表示が行われる。
【００４７】
このように、通常撮影モードでは、プリント処理を行わないので、トリミング画像ではなく、撮影した画像に対応した全表示画像が画面上に表示されることになる。
【００４８】
次に、図１に示した操作部１５のモード選択スイッチによって再生プリントモードが選択された場合の動作について、図５に示したフローチャートを参照して説明する。この再生プリントモードは、メモリカードに記録されている画像データを読み出して再生し、画像表示やプリント等を行うものである。
【００４９】
図５に示したフローチャートでは、初期状態として、すでに再生プリントモードが選択されているものとする。図１に示した操作部１５によって再生指示がなされると、ＪＰＥＧ圧縮処理がなされた画像データがメモリインターフェース２２を介してメモリカード（着脱メモリ２４）から読み出される（Ｓ２０１）。続いて、読み出された画像データに対してＪＰＥＧ伸長処理が施され（Ｓ２０２）、（１２８０×９６０）画素の画像データがバッファメモリ２５に格納される（Ｓ２０３）。
【００５０】
続いて、バッファメモリ２５に格納された画像データに対して画素数変換処理がなされ、（１２８０×９６０）画素の画像データが、全表示画像領域の画素数に対応した（６４０×４８０）画素のデータ（全表示画像データ）へと変換される（Ｓ２０４）。画素数変換処理がなされた全表示画像データは、ビデオメモリ２８に格納される（Ｓ２０５）。
【００５１】
ビデオメモリ２８に格納された全表示画像データは、ビデオ出力回路２９により、トリミング画像領域の画素数に対応した（５７６×４３２）画素のデータ（トリミング画像データ）へと変換される（Ｓ２０６）。このトリミング画像データに基づいて、画像表示ＬＣＤ３０にトリミング画像が表示される（Ｓ２０７）。
【００５２】
画像表示ＬＣＤ３０に表示された撮影画像を見て、ユーザーはその画像が所望の画像であるかを否か（次の画像を表示する必要があるか否か）を判断し（Ｓ２０８）、所望の画像が画像表示ＬＣＤ３０に表示されるまで、上述したＳ２０１〜Ｓ２０７のステップを繰り返す。
【００５３】
以後のＳ２０９〜Ｓ２１４のステップは、図３に示したＳ１０８〜Ｓ１１３のステップと同様である。すなわち、プリント指示がなされた場合には、ビデオメモリ２８に記憶されている全表示画像データを用いて、感光フィルムに１画面分のプリントが行われることになる。
【００５４】
このように、再生プリントモードが選択された場合にも、撮影プリントモードが選択された場合と同様、トリミング画像領域の画像が画像表示ＬＣＤに表示される。また、このトリミング画像領域はプリント領域よりも狭くなるように設定されている。したがって、画像表示ＬＣＤに表示された画像全体を確実にプリントすることができる。
【００５５】
次に、図１に示した操作部１５のモード選択スイッチによって通常再生モードが選択された場合の動作について、図６に示したフローチャートを参照して説明する。この通常再生モードでは、メモリカードに記録されている画像データを単に読み出して再生するだけであり、プリント処理は行われない。
【００５６】
この通常再生モードの基本的な動作は、プリント処理を行わないという点を除いて、図５に示した再生プリントモードの動作とほぼ同様であり、図５に示したステップと対応するステップについては同一のステップ番号を付し、ここでは詳細な説明は省略する。
【００５７】
ただし、この通常撮影モードでは、撮影プリントモードとは異なり、トリミング画像データではなく、全表示画像データを用いて画像表示ＬＣＤ３０に画像が表示される。したがって、図５のＳ２０６の処理（トリミング画像データを生成する処理）は行われず、Ｓ２０７のステップでは画素数（６４０×４８０）の全表示画像データを用いて表示が行われる。
【００５８】
このように、通常再生モードでは、プリント処理を行わないので、トリミング画像ではなく、撮影した画像に対応した全表示画像が画面上に表示されることになる。
【００５９】
なお、本実施形態では、以下のような変更が可能であり、この変更例について、図７を参照して説明する。
【００６０】
先に説明した、撮影プリントモード（図３）及び再生プリントモード（図５）では、画像表示ＬＣＤ３０にトリミング画像を表示するようにしたが、本変更例では、図７に示すように、画像表示ＬＣＤ３０に全表示画像（６４０×４８０画素）を表示し、かつ全表示画像領域に含まれるトリミング画像（５７６×４３２画素）をトリミング画像であることを識別できるように表示するものである。例えば、トリミング画像領域を通常のトーンで表示し、全表示画像領域からトリミング画像領域を除いた領域（図７の斜線で示した領域）をハーフトーンで表示すればよい。
【００６１】
本変更例によれば、撮影プリントモード及び再生プリントモードにおいても全表示画像領域が画面上に表示されるので、電子カメラで撮影した画像全体を把握できるとともに、トリミング画像領域を識別することができるので、感光紙に確実にプリントされる領域も同時に把握することができる。
【００６２】
以上、本発明の実施形態を説明したが、本発明は上記実施形態に限定されるものではなく、その趣旨を逸脱しない範囲内において種々変形して実施することが可能である。
【００６３】
【発明の効果】
本発明によれば、画像表示手段にトリミング画像を表示し、このトリミング画像の範囲を画像形成領域（プリント領域）の範囲よりも狭くしたので、画像表示手段によって把握されるトリミング画像の範囲を確実にプリントすることができる。
【図面の簡単な説明】
【図１】本発明の実施形態に係るシステム構成例を示したブロック図。
【図２】本発明の実施形態の概念を示した説明図。
【図３】本発明の実施形態において、撮影プリントモードが選択されたときの動作を示したフローチャート。
【図４】本発明の実施形態において、通常撮影モードが選択されたときの動作を示したフローチャート。
【図５】本発明の実施形態において、再生プリントモードが選択されたときの動作を示したフローチャート。
【図６】本発明の実施形態において、通常再生モードが選択されたときの動作を示したフローチャート。
【図７】本発明の実施形態の変更例の概念を示した説明図。
【符号の説明】
１１…撮影レンズ系
１２…撮像素子
１３…撮像回路
１４…Ａ／Ｄ変換回路
１５…操作部
１６…モード表示ＬＣＤ
１７…ストロボ発光部
１８…電源部
１９…カメラ電池
２０…外部電源入力端子
２１…システムコントローラ
２２…メモリインターフェース
２３…カードスロット
２４…着脱メモリ
２５…バッファメモリ
２６…外部インターフェース
２７…外部入出力端子
２８…ビデオメモリ
２９…ビデオ出力回路
３０…画像表示ＬＣＤ
３１…ビデオアウト端子
３２…カートリッジ
３３…フィルム電池
３４…駆動制御回路
３５…駆動部
３６…ラインメモリ
３７…ＬＣＤ制御回路
３８…ＬＣＤシャッター
３９…光源
【図１】
0004053183.tif 000002
【図２】
0004053183.tif 000003
【図３】
0004053183.tif 000004
【図４】
0004053183.tif 000005
【図５】
0004053183.tif 000006
【図６】
0004053183.tif 000007
【図７】
0004053183.tif 000008